(57)【要約】【課題】よく目立ち、来客が気付き易く、ＰＲ効果が高い表示発光ボードを提供することを目的とする。【解決手段】表示発光機構を収納するベース部１と、このベース部１に被蓋するカバー部材２と、前記ベース部１とカバー部材２を一体とする接合手段からなる表示発光ボードＡであって、前記表示発光機構は表示内容を通光部３０とした表示パネル３と、板状光源体４からなり、前記通光部３０は板状光源体４の光を通過するように設置している。【選択図】 図２
2007316362.tif 000002
【特許請求の範囲】
【請求項１】
表示発光機構を収納するベース部と、このベース部を被蓋するカバー部材と、前記ベース部とカバー部材を一体とする接合手段からなる表示発光ボードであって、前記表示発光機構は表示内容を通光部とした表示パネルと、板状光源体からなり、前記通光部は板状光源体の光を通過するように設置せしめたことを特徴とする表示発光ボード。
【請求項２】
表示発光機構を収納するベース部と、このベース部を被蓋するカバー部材と、前記ベース部とカバー部材を一体とする接合手段からなる表示発光ボードであって、前記表示発光機構はＬＥＤを配列したものであることを特徴とする表示発光ボード。
【請求項３】
表示発光機構を収納するベース部と、このベース部を被蓋するカバー部材と、前記ベース部とカバー部材を一体とする接合手段からなる表示発光ボードであって、前記表示発光機構は有機ＥＬ印刷発光体であることを特徴とする表示発光ボード。
【請求項４】
前記カバー部材が取替え可能であることを特徴とする請求項１乃至３のいずれかに記載の表示発光ボード。
【請求項５】
前記表示発光機構が取替え可能であることを特徴とする請求項１乃至４のいずれかに記載の表示発光ボード。
【請求項６】
耐水性を有することを特徴とする請求項１乃至５のいずれかに記載の表示発光ボード。
【請求項７】
ベース部に弾性部材を用いることによって、耐圧性を有することを特徴とする請求項１乃至６のいずれかに記載の表示発光ボード。
【発明の詳細な説明】
【技術分野】
【０００１】
この発明は、来客メッセージの表示や、公告、宣伝に用いる表示発光ボードに関するものである。
【背景技術】
【０００２】
ホテル、デパート、レストラン等の出入口には、玄関マットを敷設することが一般的に行われている。そして、玄関マットの表面は「いらっしゃいませ」、「ありがとうございました」、「本日休業」、「準備中」といった案内を表示し、情報伝達の手段として用いられている。（例えば特許文献１。）。
【０００３】
しかしながら、玄関マットによる情報伝達は目立つことが無く、来客が気付きにくく、ＰＲ効果が薄いという問題があった。
【特許文献１】特開平７−８８０７５
【発明の開示】
【発明が解決しようとする課題】
【０００４】
そこで、この発明では、よく目立ち、来客が気付き易く、ＰＲ効果が高い表示発光ボードを提供することを課題とする。
【課題を解決するための手段】
【０００５】
（請求項１記載の発明）
この発明は、表示発光機構を収納するベース部と、このベース部を被蓋するカバー部材と、前記ベース部とカバー部材を一体とする接合手段からなる表示発光ボードであって、前記表示発光機構は表示内容を通光部とした表示パネルと、板状光源体からなり、前記通光部は板状光源体の光を通過するように設置せしめたことを特徴とする。
【０００６】
（請求項２記載の発明）
この発明は、表示発光機構を収納するベース部と、このベース部を被蓋するカバー部材と、前記ベース部とカバー部材を一体とする接合手段からなる表示発光ボードであって、前記表示発光機構はＬＥＤを配列したものであることを特徴とする。
【０００７】
（請求項３記載の発明）
この発明は、表示発光機構を収納するベース部と、このベース部を被蓋するカバー部材と、前記ベース部とカバー部材を一体とする接合手段からなる表示発光ボードであって、前記表示発光機構は有機ＥＬ印刷発光体であることを特徴とする。
【０００８】
（請求項４記載の発明）
この発明は、上記請求項１乃至３いずれかに記載の発明に関し、カバー部材が取替え可能であることを特徴とする。
【０００９】
（請求項５記載の発明）
この発明は、上記請求項１乃至４いずれかに記載の発明に関し、表示発光機構が取替え可能であることを特徴とする。
【００１０】
（請求項６記載の発明）
この発明は、上記請求項１乃至５いずれかに記載の発明に関し、耐水性を有することを特徴とする。
【００１１】
（請求項７記載の発明）
この発明は、上記請求項１乃至６いずれかに記載の発明に関し、ベース部に弾性部材を用いることによって、耐圧性を有することを特徴とする。
【発明の効果】
【００１２】
この発明の表示発光ボードは、よく目立ち、来客が気付き易く、ＰＲ効果が高いものである。
【発明を実施するための最良の形態】
【００１３】
以下に、この発明の表示発光ボードを実施するための最良の形態として実施例について詳しく説明する。
【実施例１】
【００１４】
図１は表示発光ボードの外観を示した斜視図、図２は実施例１の表示発光ボードの分解斜視図、図３は実施例１の表示発光ボードの部分拡大側面図、図４は実施例１の板状光源体の部分拡大全体図、図５は実施例１の板状光源体の断面図を示している。
【００１５】
（この表示発光ボードＡの基本的用途について）
この表示発光ボードＡは地面に設置し、表示Ｂを発光させるものである。表示Ｂは「いらっしゃいませ」等のメッセージや絵、模様など、当業者が適宜なし得るものである。
【００１６】
表示Ｂの発光は、常時発光、点滅、左右に移動（例えば、「いらっしゃいませ」の「い」から順に「せ」まで発光させる）など、当業者が適宜なし得るものである。
【００１７】
表示発光ボードＡは、発光表示を必要とする箇所であれば、何処に用いても良いが、光るものが少ない地面に設置することによって、高い表示効果を発揮させるのが好ましい。
【００１８】
（この表示発光ボードＡの基本的構成について）
表示発光ボードＡは図２に示すように、ベース部１とカバー部材２と、表示パネル３と、板状光源体４からなり、表示発光機構となる表示パネル３と板状光源体４をベース部１に収納し、カバー部材２によって被蓋する。被蓋したカバー部材２を取替え可能なものとすることで、表示発光ボードＡが歩行者の靴に踏まれた時に発生する表示面の外観の悪化（傷・汚れ）を修復することが出来る。
【００１９】
この発明を地面に設置させる場合、ベース部１の大きさは縦２００ｍｍ、横９００ｍｍ、高さ１０ｍｍとするのが好ましい。縦、横の面積は当業者が適宜なし得る事項であるが、高さが１０ｍｍ以上になると、地面に設置したとき、歩行の妨げとなる。
【００２０】
この発明は板状光源体４から発せられた光が表示パネル３の通光部３０を通過し、カバー部材２を通過することによって表示Ｂの発光を行う。つまり、図１の表示Ｂの内容は図２に示す通光部３０によるものである。そして、表示パネル３を交換することによって、通光部３０を変更し、任意の表示内容とすることが可能である。
【００２１】
表示パネル３は光を完全に遮断するものや光の透過を抑制するものであれば良く、通光部３０は透光する材料や透明な材料、切り抜きなど光を通せば良いものである。つまり、来客者が見て、通光部３０の内容を確実に認識できるコントラストであれば良く、当業者が適宜なし得る事項である。好ましくは、通光部３０のみが光る様態である。
【００２２】
（耐水構造・耐圧構造について）
ベース部１は、図２、図３に示すように、板状光源体４を収納する内収納部１０と、表示パネル３を収納する中収納部１１と、カバー部材２を取りつける外収納部１２が形成されている。ベース部１は弾性を有する素材であれば良く、シリコンゴムを使用するのが好ましい。そして、ベース部１の高さ１０ｍｍのうち３ｍｍを下地部１３とし、４ｍｍを内収納部１０とし、１ｍｍを中収納部１１とし、２ｍｍを外収納部１２とするのが好ましい。
【００２３】
外収納部１２に用いるカバー部材２は硬度と弾性の双方を有する塩化ビニル板を用いるのが好ましい。
【００２４】
このような様態であると、表示発光ボードＡを地面に設置しても、靴によって踏まれたところで、弾性を有するベース部１とカバー部材２が踏力を吸収・分散し、表示パネル３と板状光源体４の破損を防ぐ効果がある。
【００２５】
カバー部材２によるベース部１の被蓋は、接合手段（図示せず）を用いて接合させる。
【００２６】
前記接合手段は両面テープや接着剤を接合部１４に用いても良いし、孔１５を用いて螺着してもよい。
【００２７】
表示パネル３を頻繁に取り替える場合は、両面テープや面ファスナー等の取り外しが簡単な接合手段を用い、表示発光ボードＡが雨天にさらされる場合は密閉可能な接合手段を用いる。
【００２８】
密閉可能な接合手段を用いることによって、表示発光ボードＡは水槽での利用や、風雨にさらされる乗用車への取り付け利用が可能となる。密閉可能な接合手段はシリコンコーキング材などによるシーリングを行うのが好ましい。
【００２９】
また、板状光源体４をベース部１に埋め込むことで板状光源体４を密閉し、水による影響を受けない材料を表示パネル３に用いると、表示発光ボードＡは、耐水性を有しつつ、面ファスナー等の取り外しが簡単な接合手段を用いることが可能となる。
【００３０】
（板状光源体４について）
板状光源体４は図４、図５に示すように、パネル４０と、反射材４１と光源４２からなり、パネル４０に反射材４１が接合されていない箇所が発光部４３となる。
【００３１】
パネル４０は、透明ガラス、半透明ガラス、アクリル、ポリカーボネート、合成樹脂等光を通す材料であれば当業者が適宜なし得るものである。地面に設置する場合、ポリカーボネートやアクリル樹脂など踏力によって割れない素材を用いることが好ましい。
【００３２】
光源４２にはＬＥＤを使用し、基板４４にＬＥＤを並べたものを、パネル４０内に取り付けている。
【００３３】
光源４２の取り付けは、パネル４０に取り付け穴を形成し、差し込みを行った後、樹脂や接着剤を流し込む様態でも良いし、パネル４０と共に一体成形を行っても良い。このように、パネル４０に、耐水性を有する光源４２の取り付けを行うと、上述した、ベース部材１とカバー部材２のシーリング作業は行わなくても良い。
【００３４】
反射材４１の表面には乱反射を引き起こす加工が施されており、乱反射を引き起こす加工を行った面をパネル４０に貼り付けている。又は、パネル４０の発光部４３以外の箇所にサンドブラスト加工を行い、通常の反射材４１を貼り付けても良い。反射材４１の貼り付け方法は図５に示すように光源４２を包み込むように行うのが好ましい。
【００３５】
このようにすると、光源４２から発した光がパネル４０内を通過し、サンドブラスト加工を行った反射材４１によって乱反射され、均一な光が発光部４３より発生させることが可能となり、また、光源４２の光を効率よく発光部４３の光にすることが可能である。
【００３６】
板状光源体４は上記のものに限る事無く、有機ＥＬなど板状であって文字や画像を表示できるものであれば良く、当業者が適宜なし得る事項である。表示Ｂの明るさにバラつきが生じないよう、均一な発光を得られる光源体が好ましい。
【００３７】
板状光源体４は取替え可能とすることで発光色も変更可能である。
【００３８】
（板状光源体４の電源について）
板状光源体４の発光は、表示発光ボードＡの基本的用途で述べた通り、常時発光、点滅、左右に移動などが考えられるが、発光制御装置５の電源はＡＣ１００Ｖ、ＤＣ１２Ｖ、ソーラーパネル、電池等を用い、当業者が適宜なし得る事項である。
【００３９】
（複数の表示発光ボードＡの使用について）
表示発光ボードＡは、図１に示すように、地面に接する側の面の隅に連結部Ｃが形成されている。これによって、複数の使用を行うときは板状部材を介在させることが可能である。
【実施例２】
【００４０】
図６は実施例２の表示発光ボードＡの分解斜視図を示している。
【００４１】
上記実施例１は上述したように、表示発光機構となる表示パネル３と板状光源体４をベース部１に収納し、カバー部材２によって被蓋したものである。
【００４２】
実施例２における表示発光機構６は、図６に示すように、ＬＥＤ（発光ダイオード）７を縦横に敷き詰めて配列し、板状にしたものである。
【００４３】
表示発光機構６におけるＬＥＤ７の配列は、敷き詰めた配列のものに限られることは無く、必要な形状に並べたもので良く、配列は当業者が適宜なし得る事項である。
【００４４】
このような様態であると、表示発光機構６に表示された内容は発光制御装置５によって、任意のＬＥＤ７を発光させることにより、表示内容が随時変更可能なものとなる。
【００４５】
表示内容の発光制御は当業者が適宜なし得る事項であり、従来のＬＥＤ発光ボードに用いられている技術を利用すれば良い。
【００４６】
実施例２は上記実施例１と同様に樹脂加工・防水加工を施すことが好ましい。
【実施例３】
【００４７】
実施例３における表示発光機構６は、有機ＥＬ印刷発光体を表示発光機構６として、用いたものである。
【００４８】
実施例３は上記実施例１と同等の作用・効果を奏するものであり、有機ＥＬ印刷発光体に樹脂加工・防水加工を施すことが好ましい。
【図面の簡単な説明】
【００４９】
【図１】表示発光ボードＡの外観を示した斜視図である。
【図２】実施例１の表示発光ボードＡの分解斜視図である。
【図３】実施例１の表示発光ボードＡの部分拡大側面図である。
【図４】実施例１の板状光源体４の部分拡大全体図である。
【図５】実施例１の板状光源体４の断面図である。
【図６】実施例２の表示発光ボードＡの分解斜視図である。
【符号の説明】
【００５０】
Ａ    表示発光ボード
Ｂ    表示
Ｃ    連結部
１    ベース部
２    カバー部材
３    表示パネル
３０  通光部
４    板状発光体
５    発光制御装置
【図１】
2007316362.tif 000003
【図２】
2007316362.tif 000004
【図３】
2007316362.tif 000005
【図４】
2007316362.tif 000006
【図５】
2007316362.tif 000007
【図６】
2007316362.tif 000008